(57)【要約】【課題】第一表示面の表示状態の煩雑さを解消しつつ、被写体画像と表示情報の視認性を向上する撮影装置を提供する。【解決手段】被写体画像と、当該被写体画像に係る撮影情報を含む表示情報とを表示可能な第一表示面と、少なくとも一部の前記表示情報を表示可能な第二表示面と、前記第一表示面に対して前記第二表示面が所定の角度をなし、かつ、同一方向を向く配置となる第一の状態と、前記第一の状態とは異なる第二の状態との何れの状態であるかを検出する検出部と、前記検出部の検出結果に応じて、前記第一表示面の表示内容を異ならせる制御部と、を有することを特徴とする撮影装置。【選択図】図８
2013168824.tif 000002
【特許請求の範囲】
【請求項１】
被写体画像と、当該被写体画像に係る撮影情報を含む表示情報とを表示可能な第一表示面と、
少なくとも一部の前記表示情報を表示可能な第二表示面と、
前記第一表示面に対して前記第二表示面が所定の角度をなし、かつ、同一方向を向く配置となる第一の状態と、前記第一の状態とは異なる第二の状態との何れの状態であるかを検出する検出部と、
前記検出部の検出結果に応じて、前記第一表示面の表示内容を異ならせる制御部と、
を有することを特徴とする撮影装置。
【請求項２】
請求項１に記載されている撮影装置において、
所定の角度とは、前記第一表示面と前記第二表示面とが平行であることを特徴とする撮影装置。
【請求項３】
請求項１または請求項２に記載されている撮影装置において、
前記制御部は、前記第二の状態において前記第一表示面に表示していた少なくとも一部の前記表示情報を、前記第一の状態の検出に応じて非表示にせしめることを特徴とする撮影装置。
【請求項４】
請求項３に記載されている撮影装置において、
前記制御部は、前記第一の状態の検出に応じて非表示とした前記表示情報のうちの少なくとも一部の表示情報を、前記第二表示面に表示させることを特徴とする撮影装置。
【請求項５】
請求項４に記載されている撮影装置は、
前記制御部により、前記第一表示面に、前記被写体画像と当該被写体画像に係る前記撮影情報を含む前記表示情報とを表示する視認モードに設定されている場合に、前記検出部が前記第二の状態を検出すると、前記制御部は、前記第一の状態となるように、前記第一表示面または前記第二表示面の何れか一方の設置角度を変更可能とすることを特徴とする撮影装置。
【請求項６】
請求項５に記載されている撮影装置は、
前記制御部により、前記第一表示面に、前記被写体画像と前記表示情報とを表示しない非視認モードに設定されている場合に、前記検出部が前記第一表示部または前記第二表示部の何れか一方の設置角度の変更を検出すると、前記制御部は、前記非視認モードから前記視認モードへ設定を変更することを特徴とする撮影装置。
【請求項７】
請求項５または請求項６に記載されている撮影装置は、
前記第一表示面または前記第二表示面の少なくともいずれか一方の表示面の設置角度を変化させる表示面駆動部を更に有し、
前記表示面駆動部は、前記第一表示面または前記第二表示面のいずれか他方の表示面を基準に、前記一方の表示面の設置角度を前記第一の状態となるように変更することを特徴とする撮影装置。
【請求項８】
請求項５または請求項６に記載されている撮影装置は、
前記第一表示面または前記第二表示面のいずれか一方の表示面の設置角度が変更可能であることを報知する報知部を更に有することを特徴とする撮影装置。
【請求項９】
請求項４〜８のいずれか一項に記載されている撮影装置において、
前記制御部は、前記第一表示面が該撮影装置側への格納を検出すると、前記第二表示面の設置角度の変更を禁止することを特徴とする撮影装置。
【請求項１０】
請求項９に記載されている撮影装置において、
前記制御部は、前記被写体画像を撮影して得た画像データを記録する撮影処理を行うか、記録された画像信号を再生する再生処理を行うかに応じて、前記第一表示部にて非表示とする前記表示情報を異ならせることを特徴とする撮影装置。
【請求項１１】
請求項１０に記載されている撮影装置において、
前記制御部は、前記撮影処理における露出条件を決定する撮影モードに応じて、前記第一表示部にて非表示とする前記撮影情報を異ならせることを特徴とする撮影装置。
【発明の詳細な説明】
【技術分野】
【０００１】
本発明は、撮影装置の表示面に関する。
【背景技術】
【０００２】
デジタルカメラにおいて、撮影装置の背面に設置されているＬＣＤ（Ｌｉｑｕｉｄ  Ｃｒｙｓｔａｌ  Ｄｉｓｐｌａｙ）の表示面（以降、「第一表示面」とする）に被写体画像を表示し、構図や色調などを確認しながら静止画像の撮影を行うライブビュー撮影という撮影方法がある。このライブビュー撮影は、撮影条件や撮影装置の設定条件などを含む表示情報を第一表示面に表示し、撮影者が被写体画像と表示情報のどちらも確認しながら撮影を行うことができる。また、撮影を行った被写体画像や記録媒体に登録されている画像データを再生する再生処理においても、被写体画像と撮影情報などの表示情報を第一表示面に表示しながら、操作を行うことができる。
しかし、ライブビュー撮影または再生処理において、被写体画像と表示情報のどちらも第一表示面に表示することから、図１のように、両者が重なって表示されてしまうことがあった。また、たとえ両者が重ならない場合でも、第一表示面に被写体画像と複数の表示情報が表示されてしまい、煩雑な状態となってしまっていた。
そこで、特許文献１では、第一表示面と撮影時に被写体を視認する電子ビューファインダとの二つの表示面を有す撮影装置において、撮影処理または再生処理の操作を行う際に、撮影画像と表示情報とを異なる表示面にそれぞれ表示する電子カメラが提案されている（後記の特許文献１）。
【先行技術文献】
【特許文献】
【０００３】
【特許文献１】特開２００１−１７７７４２
【発明の開示】
【発明が解決しようとする課題】
【０００４】
しかしながら、従来の技術では、撮影画像と表示情報を異なる表示面で確認できるものの、第一表示面と電子ビューファインダとの二つの表示面を確認するために撮影者が視点を一旦変更しなければならなく、視認性が悪いという問題があった。
【０００５】
そこで、本発明は第一表示面の表示状態の煩雑さを解消しつつ、被写体画像と表示情報の視認性を向上する撮影装置を提供することを目的とする。
【課題を解決するための手段】
【０００６】
上記の目的を達成するために、請求項１の発明は、被写体画像と、当該被写体画像に係る撮影情報を含む表示情報とを表示可能な第一表示面と、少なくとも一部の前記表示情報を表示可能な第二表示面と、前記第一表示面に対して前記第二表示面が所定の角度をなし、かつ、同一方向を向く配置となる第一の状態と、前記第一の状態とは異なる第二の状態との何れの状態であるかを検出する検出部と、前記検出部の検出結果に応じて、前記第一表示面の表示内容を異ならせる制御部と、を有することを特徴とする撮影装置である。
また請求項２の発明は、請求項１に記載されている撮影装置において、所定の角度とは、前記第一表示面と前記第二表示面とが平行であることを特徴とする撮影装置である。
また請求項３の発明は、請求項１または請求項２に記載されている撮影装置において、前記制御部は、前記第二の状態において前記第一表示面に表示していた少なくとも一部の前記表示情報を、前記第一の状態の検出に応じて非表示にせしめることを特徴とする撮影装置である。
【０００７】
また請求項４の発明は、請求項３に記載されている撮影装置において、前記制御部は、前記第一の状態の検出に応じて非表示とした前記表示情報のうちの少なくとも一部の表示情報を、前記第二表示面に表示させることを特徴とする撮影装置である。
【０００８】
また請求項５の発明は、請求項４に記載されている撮影装置において、前記制御部により、前記第一表示面に、前記被写体画像と当該被写体画像に係る前記撮影情報を含む前記表示情報とを表示する視認モードに設定されている場合に、前記検出部が前記第二の状態を検出すると、前記制御部は、前記第一の状態となるように、前記第一表示面または前記第二表示面の何れか一方の設置角度を変更可能とすることを特徴とする撮影装置である。
【０００９】
また請求項６の発明は、請求項５に記載されている撮影装置は、前記制御部により、前記第一表示面に、前記被写体画像と前記表示情報とを表示しない非視認モードに設定されている場合に、前記検出部が前記第一表示部または前記第二表示部の何れか一方の設置角度の変更を検出すると、前記制御部は、前記非視認モードから前記視認モードへ設定を変更することを特徴とする撮影装置である。
【００１０】
また請求項７の発明は、請求項５または請求項６に記載されている撮影装置は、前記第一表示面または前記第二表示面の少なくともいずれか一方の表示面の設置角度を変化させる表示面駆動部を更に有し、前記表示面駆動部は、前記第一表示面または前記第二表示面のいずれか他方の表示面を基準に、前記一方の表示面の設置角度を前記第一の状態となるように変更することを特徴とする撮影装置である。
【００１１】
また請求項８の発明は、請求項５または請求項６に記載されている撮影装置は、前記第一表示面または前記第二表示面のいずれか一方の表示面の設置角度が変更可能であることを報知する報知部を更に有することを特徴とする撮影装置である。
【００１２】
また請求項９の発明は、請求項４〜８のいずれか一項に記載されている撮影装置において、前記制御部は、前記第一表示面が該撮影装置側への格納を検出すると、前記第二表示面の設置角度の変更を禁止することを特徴とする撮影装置である。
【００１３】
また請求項１０の発明は、請求項９に記載されている撮影装置において、前記制御部は、前記被写体画像を撮影して得た画像データを記録する撮影処理を行うか、記録された画像信号を再生する再生処理を行うかに応じて、前記第一表示部にて非表示とする前記表示情報を異ならせることを特徴とする撮影装置である。
【００１４】
また請求項１１の発明は、請求項１０に記載されている撮影装置において、前記制御部は、前記撮影処理における露出条件を決定する撮影モードに応じて、前記第一表示部にて非表示とする前記撮影情報を異ならせることを特徴とする撮影装置である。
【発明の効果】
【００１５】
以上記述したように、本発明は第一表示面の表示状態の煩雑さを解消しつつ、被写体画像と表示情報の視認性を向上する撮影装置を提供することができる。
【発明を実施するための最良の形態】
【００１６】
以下、本発明による撮影装置について、図面を参照しながら詳細に説明する。
まず、本発明の実施形態として、本発明に係る撮影装置について述べる。図１は本発明の実施形態に係る撮影装置の背面図である。図２は本発明の実施形態に係る撮影装置の斜視図である。図３は本発明の実施形態に係る撮影装置のブロック図である。
【００１７】
図１〜３に示した撮影装置１は、撮影処理または再生処理における被写体画像などを表示する第一表示面２、表示情報などを表示する第二表示面３、レリーズ釦４、選択釦や十字キー等の操作部５、撮像素子６、被写体画像の情報に対して画像補間処理やＡ／Ｄ変換等を行う画像処理部７、画像データを一時的に保存するＲＡＭ等の揮発性メモリ８、撮影装置１の処理を司る制御部９、第一表示面２または第二表示面３の設置角度を変更する表示面駆動部１０、再生処理モードを起動する再生処理起動釦１１、レンズユニット１２、画像データを記録する記録媒体１３、撮影処理において被写体画像を視認するファインダ１４、ライブビュー撮影を起動するライブビュー撮影起動釦１５、静止画像撮影モードと動画像撮影モードなどを切り替える撮影モード切り替え部１６、画像処理プログラムを含む各プログラムが保存されている不揮発性メモリ１７、データバス１８、報知部２２、検出部２３から構成される。
【００１８】
撮影装置1は、撮影装置１の背面に設けられた第一表示面２にレンズユニット１２から得られる被写体画像を表示しながら静止画像の撮影処理を行うライブビュー撮影機能を備えている。
【００１９】
第一表示面２は、ライブビュー撮影または動画像撮影（以降、２つの撮影を総じて「表示撮影」という。）において被写体画像を表示する電子ビューファインダとして用いられる。この際、第一表示面２は、被写体画像だけでなく、撮影処理時に設定されている様々な撮影条件や撮影装置の設定条件など（以降、「表示情報」とする）を重ねて表示することで、撮影者がそれを確認しながら撮影を行うことができる。表示情報とは、たとえば撮影モードを示すアイコン、シャッタ速度、露出補正値、ＩＳＯ感度、ホワイトバランス、絞り値、記録可能コマ数、再生コマ数、バッテリー残量、測光モードなどである。さらに、第一表示面２は後述する再生処理においても、記録媒体１３や揮発性メモリ８に保存されている静止画像や動画像の画像データを表示すると共に、撮影時の設定などに関する表示情報を重ねて表示することが可能である。
【００２０】
なお、第一表示面２は表示撮影を行う際に撮影者が様々な体勢においても被写体画像を視認しやすいように設置角度を変更可能な機構を有するものであってもよい。この可動式の機構により、ローアングル撮影やハイアングル撮影といった様々な構図で撮影を行うことが可能である。第一表示面２の設置角度を変化させられる機構（以降、「バリアングル機構」とする。）を有した撮影装置１は多数あり、たとえば特開２００６‐１０１４６６に記載の公知の機構である。なお、第一表示面２の設置角度の変更方向は撮影装置１に対して左開きや右開きさせるものでもよい。
【００２１】
第二表示面３は、撮影装置１内の第一表示面２とは異なる面に設置されており、撮影処理を行う際に表示情報を表示するものである。ファインダ１４を通して撮影処理を行う際に、撮影者が表示情報を確認する際に用いられる。
ファインダ１４は、撮影処理時に撮影者が被写体画像を確認する際に覗く表示部であり、たとえば光学ビューファインダ、電子ビューファインダなどが挙げられる。ファインダ１４は撮影装置１に設置されたものであっても、脱着可能なものであってもよい。なお、ファインダを非搭載かつ第一表示面２を機能的にファインダとして用いる撮影装置１においても、第二表示面３を有しているならば、本発明を適用することが可能である。
撮影モード切り替え部１６は、動画像撮影モード、マニュアルモード、シャッタ速度優先ＡＥモード、絞り優先ＡＥモード、プログラムＡＥモード、シーンモードなどから撮影モードを選択するものである。
【００２２】
撮影処理とは、静止画像や動画像の撮影を行う処理である。レリーズ釦４を操作することでレリーズ信号が制御部９に送られ、撮影処理が開始される。まず、レンズユニット１２を通して得られる被写体画像が、レンズユニット１２後方に設置されているＣＣＤやＣＭＯＳ等の撮像素子６上で結像させる。撮像素子６から出力されるアナログ信号は、画像処理部７内でＡ／Ｄ変換されてデジタル化され、さらに、色補間処理、階調補正等の画像処理が施され、その後、フォーマット処理が行われて、画像データとして記録媒体１３に保存される。画像処理部７はデータバス１８を介して、制御部９に接続されている。制御部９には、第一表示面２、第二表示面３、バッファメモリとして機能する揮発性メモリ８、表示面駆動部１０、記録媒体１３、ファインダ１４、制御プログラムを記録した不揮発性メモリ１７、報知部２２、後述する第一の状態または第二の状態を検出する検出部２３がデータバス１８を介し接続されている。また、データバス１８は、制御部９が行う操作に伴う各種データの伝送路として機能する。さらに、レリーズ釦４、操作部５、再生処理起動釦１１、ライブビュー撮影起動釦１５、撮影モード切り替え部１６がデータバス１８を介して、接続されている。
【００２３】
再生処理とは、静止画像のコマ送り、動画像の再生や停止等を行う処理である。再生処理起動釦１１の操作に応じて、記録媒体１３または揮発性メモリ８に記録されている画像データを第一表示面２に表示し、撮影時の撮影情報などを被写体画像と重畳表示する。
以上説明した構成の撮影装置１の動作について説明していく。本発明は、表示撮影時または再生処理時において、被写体画像と表示情報が重なることで第一表示面２が煩雑となった際に、第一表示面２または第二表示面３の設置角度を変えて、表示する表示情報を異ならせるようにするものである。
【００２４】
図４に示すフローチャートを用いて、制御部９により行われるフローについて説明する。このフローにおいては、第一表示面２または第二表示面３の設置角度を変更する条件の検出、設置角度の変更、表示内容の変更を行うものである。
ステップＳ０１にて、制御部９は第一表示面２が撮影者側ではなく被写体像側または撮影装置１側を向いて撮影装置１に格納されているか否かを判断する。肯定判定された場合は、ステップＳ０８に進み、制御部９は第一表示面２または第二表示面３が駆動することを禁止し、当該フローを終了する。これは、第一表示面２に被写体画像や表示情報を表示することができず、本発明を適用することができないためである。また、撮影者は表示撮影や再生処理以外の操作を行うと判断できるためである。ステップＳ０１にて否定判定された場合はステップＳ０２に進む。
【００２５】
なお、ステップＳ０８における第一表示面２または第二表示面３の角度変更の禁止手法として、不図示のメカスイッチまたは電気スイッチを設けてもよい。
ステップＳ０２にて、制御部９は撮影装置１がライブビュー撮影起動釦１５または撮影モード切り替え部１６の操作によって表示撮影が起動されたか否かが判断される。表示撮影が起動されたと判断された場合、ステップＳ０４に進む。撮影装置１が表示撮影以外の設定となっていることを確認された場合、ステップＳ０３に進む。
ステップＳ０３にて、制御部９は再生処理起動釦１１が操作され再生処理が起動されたか否かが判断される。撮影装置１が再生処理に設定された場合、ステップＳ０４に進む。一方、他の設定である場合、当該フローを終了する。
【００２６】
なお、第一表示面２に被写体画像および表示情報を表示する表示撮影または再生処理に設定された状態を「視認モード」とする。また、表示撮影または再生処理とは異なる設定を「非視認モード」とする。表示撮影または再生処理の設定であるかを判断するステップＳ０２とステップＳ０３は、換言すると撮影装置１が視認モードか否かを判定するステップであるため、ステップＳ０２とステップＳ０３の順序を変更もしくは視認モードに設定されているか否かを判断するステップとしてもよい。視認モードか否かを判断するステップとした場合には、肯定判定された場合はステップＳ０４に、否定判定された場合は当該フローを終了する。
【００２７】
ステップＳ０４にて、制御部９は第一表示面２または第二表示面３の設置角度を変更することで、両表示面が撮影者１と対面する状態となるか否かが判断される。同方向を向く状態をとりうる場合は、ステップＳ０５に進む。一方、第一表示面２または第二表示面３の設置角度をたとえ変更したとしても、互いに別方向を向いている場合、たとえば第一表示面２が撮影者側、第二表示面３が被写体側を向いている場合においては、当該フローを終了する。
【００２８】
ステップＳ０５にて、検出部２３は第一表示面２と第二表示面３とが成す角度が所定角度であるか否かが判断される。所定角度とは、第一表示面２と第二表示面３とが平行となる状態（以降、この状態を「第一の状態」とする）である。第一表示面２と第二表示面３とが成す角度が所定角度であれば、後述するステップＳ０７の表示内容変更処理に進む。一方、所定角度と異なる場合（以降、この状態を「第二の状態」とする）は、後述するステップＳ０６の角度変更処理に進む。
ステップＳ０６にて、角度変更処理を行う。角度変更処理は、第一表示面２または第二表示面３のいずれか一方の表示面を基準に、第二の状態から第一の状態となるようにもう一方の表示面の設置角度を変更する処理である。角度変更処理の詳細については後述する。角度変更処理が終了すると、ステップＳ０７に進む。
ステップＳ０７にて、制御部９は第一表示面２と第二表示面３の後述する表示内容変更処理を行い、当該フローを終了する。
【００２９】
次に、第一表示面２または第二表示面３の設置角度を変更する角度変更処理について説明する。本実施の形態においては、初期状態を図２のように第一表示面２は撮影装置１に格納され撮影者側を向いており、第二表示面３は撮影装置１に格納され上部を向いている状態とする。検出部２３は第一表示面２と第二表示面３とがなす角度が所定角度でないことを検出した後に変更可能とし、表示面駆動部１０が第二表示面３の設置角度を変更する。
【００３０】
第一表示面２がバリアングル機構を有していない撮影装置１においては、第一表示面２を基準にして第二表示面３の設置角度を変更する。そのため検出部２３は表示撮影モードまたは再生処理モードに設定された撮影装置１において第二の状態、たとえば図２の状態となっていることが検出されると、第一の状態、たとえば図５の状態となるように、第一表示面２を基準として、表示面駆動部１０または撮影者によって回転軸２０を中心に矢印２１の方向に第二表示面３を回転させる。
【００３１】
一方、撮影装置１がバリアングル機構を有す第一表示面２を搭載している場合は、第二表示面３を基準に、第一表示面２の設置角度を変化させるようにしてもよい。図６は、本発明をローアングル撮影時に適用したものである。ローアングル撮影とは、被写体像が低い位置にある場合における撮影方法の一つであり、バリアングル機構を用いて矢印２１の方向に第一表示面２を回転させ設置角度を変更し、撮影者が撮影装置１の上面から第一表示面２を視認しながら行う撮影処理である。ローアングル撮影を行う場合は、第二表示面３の設置角度を変化させるよりも、撮影装置１に格納されている状態のほうが、撮影者にとって視認性がよい。その場合、図６に示すように、ローアングル撮影を行う場合には、たとえ表示撮影や再生処理を行う場合においても、第二表示面３の設置角度が変化することを禁止し、撮影装置に格納された状態を保つこととする。それにより、撮影者が視点を変更することなく、第一表示面２と第二表示面３を視認することができる。
【００３２】
図７は、本発明をハイアングル撮影時に適用したものである。ハイアングル撮影とは、被写体像が高い位置にある場合や人越しに撮影をする場合における撮影方法の一つであり、矢印２１の方向に第一表示面２を回転させ設置角度を変更し、視認性を向上させる方法である。撮影者が撮影装置１の下面から第一表示面２を視認しながら、表示撮影を行う。ハイアングル撮影を行う場合は、図７に示すように、第一表示面２を基準として、第二表示面３の設置角度を矢印２１の方向に回転することで、撮影者の第一表示面２への視認性は向上する。
【００３３】
次に、第一表示面２と第二表示面３に表示される表示情報の表示内容を変更する表示内容変更処理について説明する。
図８は、図１で示した第二の状態である撮影装置１に対して、本発明が適用され、第一の状態となった撮影装置１の背面図である。その第二表示面３に、制御部９によって第一の状態で第一表示面２を煩雑にしていた表示情報を非表示とし、その非表示とした一部または全ての表示情報を第二表示面３に表示する。それにより、第一表示面２に表示される表示情報が少なくなり、さらにその表示情報を撮影者と対面するように設置角度が変更された第二表示面３に表示されることで、第一表示面２の煩雑さが解消される。もし第二表示面３に表示することができないほどの表示情報がある場合、第一表示面２、第二表示面３以外の表示部、たとえば第一表示面２下部の帯１９に表示するようにしてもよい。
【００３４】
表示情報によっては、第二表示面３にて表示するよりも第一表示面２にて表示すべき表示情報がある。撮影処理時においては、たとえばフォーカス点、構図を決定するために用いられる格子線、撮影装置が地面に対して水平か否かを確認する水準器、画像データ内の白飛びや黒つぶれの検出機能等である。これらの表示情報は、被写体画像と重ねることで、撮影の補助となるため、第一表示面２に表示する。また、再生処理モードにおいては、たとえば記録媒体１３または揮発性メモリ８に保存されている総コマ数、再生コマ数、電池残容量などを第一表示面２に表示するようにしてもよい。さらに、第一表示面２に非表示とせず表示する表示情報を選択できるようにしてもよい。
【００３５】
第一表示面２に表示する表示情報、特に撮影条件を決める撮影情報を、撮影モードによって切り替える。撮影モードは、撮影モード切り替え部１８を操作することによって、マニュアルモード、シャッタ速度優先ＡＥモード、絞り優先ＡＥモード、プログラムＡＥモード、シーンモードなどから選択される。
【００３６】
マニュアルモードにおいては、撮影情報のうち少なくともシャッタ速度および絞り値を非表示とせず第一表示面２に表示する。シャッタ速度優先ＡＥモードにおいては、撮影情報のうち少なくともシャッタ速度は非表示とせず第一表示面２に表示する。絞り優先ＡＥモードにおいては、撮影情報のうち少なくとも絞り値は非表示とせず第一表示面２に表示する。第一表示面２に表示する撮影情報は、いずれも撮影者が撮影前に設定する撮影情報ある。つまり露光方法を決定する撮影情報に限り、第一表示面２に表示する。また、撮影シーンに応じて、シャッタ速度や絞り値などの各種設定を制御部９が自動的に設定するシーンモード撮影においては、少なくとも撮影シーンを表すアイコンを第一表示部２に表示する。
【００３７】
上述した実施の形態は、第二表示面３が撮影装置１の上面に設置された撮影装置１に対して本発明を適用した例である。しかし、本発明における撮影装置１はこれに限らず、第二表示面３の設置箇所が撮影装置1の上面に限定することなく、第一表示面２とは異なる面に設置されていればよい。
【００３８】
図９〜１０における撮影装置１は、第二表示面３がレンズユニット１２側の面に設置された実施例である。図９のような第一の状態を検出すると、表示撮影時や再生処理時には図１０となるように、第二表示面３を回転させ、第一表示面２および第二表示面３が撮影者と正対できる位置へ変化する。第二表示面３の設置角度を変化させた後、表示内容変更処理により表示する撮影情報を変更する。その結果、撮影者が視点を変えることなく不図示の第一表示面２と第二表示面３のどちらも視認可能となり、さらに、第一表示面２の撮影情報による煩雑さを軽減することが可能である。
【００３９】
なお、撮影装置１が第一の状態で視認モードに設定されている場合、第一表示面２または第二表示面３のどちらか一方の表示面の設置角度を変更したことで第二の状態となったことを検出すると、常に第一の状態を保つように表示面駆動部１０によってもう一方の表示面の設置角度を連動して変更するようにしてもよい。
なお、撮影装置１が非視認モードに設定されているときに、ライブビュー撮影起動釦１５または再生処理起動釦１１が操作され視認モードに設定された場合は、図４のフローのステップＳ０４から実行するようにしてもよい。
【００４０】
なお、図4のステップＳ０６において、第一表示面２または第二表示面３の設置角度を表示面駆動部１０によって変更したが、撮影者自身が手動で設置角度を変更してもよい。この場合、ステップＳ０５にて否定判定されると、報知部２２は第一表示面２または第二表面３の設置角度を変更すべきことを撮影者に報知する。報知後、撮影者が第一表示面２または第二表示面３の設置角度を変更し、ステップＳ０７に進む。これにより、撮影者自身が表示面設置角度を変更することで本願発明を適用することが可能である。
【００４１】
以上で説明した各実施の形態や各種の変形例はあくまで一例であり、発明の特徴が損なわれない限り、本発明はこれらの内容に限定されるものではない。
【図面の簡単な説明】
【００４２】
【図１】本発明の実施形態に係る第二の状態を示す背面図である。
【図２】本発明の実施形態に係る第二の状態を示す斜視図である。
【図３】本発明の実施形態に係るブロック図である。
【図４】本発明の実施形態に係るフローチャートである。
【図５】本発明の実施形態に係る第一の状態を示す斜視図である。
【図６】本発明の実施形態において、ローアングル撮影を行った際の第一の状態を示す斜視図である。
【図７】本発明の実施形態において、ハイアングル撮影を行った際の第一の状態を示す斜視図である。
【図８】本発明の実施形態に係る第一の状態を示す背面図である。
【図９】本発明の実施形態において、第二表示面３がレンズユニット１２と同じ面に設置された撮像装置１の第二の状態を示す斜視図である。
【図１０】本発明の実施形態において、第二表示面３がレンズユニット１２と同じ面に設置された撮像装置１の第一の状態を示す斜視図である。
【符号の説明】
【００４３】
１．  撮影装置
２．  第一表示面
３．  第二表示面
４．  レリーズ釦
５．  操作部
６．  撮像素子
７．  画像処理部
８．  揮発性メモリ
９．  制御部
１０．表示面駆動部
１１．再生処理起動釦
１２．レンズユニット
１３．記録媒体
１４．ファインダ
１５．ライブビュー撮影起動釦
１６．撮影モード切り替え部
１７．不揮発性メモリ
１８．データバス
１９．帯
２０．回転軸
２１．矢印
２２．報知部
２３．検出部
【図１】
2013168824.tif 000003
【図２】
2013168824.tif 000004
【図３】
2013168824.tif 000005
【図４】
2013168824.tif 000006
【図５】
2013168824.tif 000007
【図６】
2013168824.tif 000008
【図７】
2013168824.tif 000009
【図８】
2013168824.tif 000010
【図９】
2013168824.tif 000011
【図１０】
2013168824.tif 000012